(57)【要約】【課題】二酸化炭素排出量を演算し、目標設定された二酸化炭素排出量になるように二酸化炭素排出機器および二酸化炭素排出物の使用量を信号線を介して遠隔地から調整できる遠隔制御装置を提供する。【解決手段】電力入力手段で取り込まれた所定消費電力量を二酸化炭素排出量に変換する電力用二酸化炭素排出量変換手段と、二酸化炭素排出量の目標値を入力する目標排出量入力手段と、電力消費機器の制御優先度を入力する優先度入力手段と、電力消費機器の運転時の二酸化炭素排出量の合計が目標排出量となるように優先度入力手段で設定された優先度にしたがって所定時間毎に電力消費機器の発停あるいは能力制御を行う二酸化炭素排出量調整手段を備えることにより電力消費機器からの二酸化炭素排出量を入力された二酸化炭素排出量の目標値以下に遠隔地から自動で抑制する。【選択図】図１ 
2005180755.tif 000002
【特許請求の範囲】
【請求項１】
複数台の電力消費機器の消費電力量を通信線を介して遠隔地から計測する電力計測手段と、計測された電力量を取り込む電力入力手段と、前記電力入力手段で取り込まれた所定消費電力量を二酸化炭素排出量に変換する電力用二酸化炭素排出量変換手段と、二酸化炭素排出量の目標値を入力する目標排出量入力手段と、前記電力消費機器の制御優先度を入力する優先度入力手段と、前記電力用二酸化炭素排出量変換手段からの二酸化炭素排出量を基に二酸化炭素排出量の合計を演算する総排出量演算手段を備えた遠隔制御装置であって、前記目標排出量入力手段と前記優先度入力手段と総排出量演算手段の出力をもとに前記電力消費機器の運転時の二酸化炭素排出量の合計が目標排出量となるように前記優先度入力手段で設定された優先度にしたがって所定時間毎に前記電力消費機器の発停あるいは能力制御を二酸化炭素排出量調整手段により行うことを特徴とする遠隔制御装置。
【請求項２】
電力用二酸化炭素排出量変換手段は、目標排出量入力手段で入力された二酸化炭素排出量を電力量に変換できることを特徴とする、請求項１記載の遠隔制御装置。
【請求項３】
複数台のガス消費機器の消費ガス量を通信線を介して遠隔地から計測するガス計測手段と、計測されたガス量を取り込むガス入力手段と、前記ガス入力手段で取り込まれた所定消費ガス量を二酸化炭素排出量に変換するガス用二酸化炭素排出量変換手段と、二酸化炭素排出量の目標値を入力する目標排出量入力手段と、前記ガス消費機器の制御優先度を入力する優先度入力手段と、前記ガス用二酸化炭素排出量変換手段からの二酸化炭素排出量を基に二酸化炭素排出量の合計を演算する総排出量演算手段を備えた遠隔制御装置であって、前記目標排出量入力手段と前記優先度入力手段と総排出量演算手段の出力をもとに前記ガス消費機器の運転時の二酸化炭素排出量の合計が目標排出量となるように前記優先度入力手段で設定された優先度にしたがって所定時間毎に前記ガス消費機器の発停あるいは能力制御を二酸化炭素排出量調整手段により行うことを特徴とする遠隔制御装置。
【請求項４】
ガス用二酸化炭素排出量変換手段は、目標排出量入力手段で入力された二酸化炭素排出量をガス量に変換できることを特徴とする、請求項３記載の遠隔制御装置。
【請求項５】
複数台の水道消費機器の消費水道量を通信線を介して遠隔地から計測する水量計測手段と、計測された水道量を取り込む水量入力手段と、前記水量入力手段で取り込まれた所定消費水量を二酸化炭素排出量に変換する水道用二酸化炭素排出量変換手段と、二酸化炭素排出量の目標値を入力する目標排出量入力手段と、前記水道消費機器の制御優先度を入力する優先度入力手段と、前記水道用二酸化炭素排出量変換手段からの二酸化炭素排出量を基に二酸化炭素排出量の合計を演算する総排出量演算手段を備えた遠隔制御装置であって、前記目標排出量入力手段と前記優先度入力手段と総排出量演算手段の出力をもとに前記水道消費機器の運転時の二酸化炭素排出量の合計が目標排出量となるように前記優先度入力手段で設定された優先度にしたがって所定時間毎に前記水道消費機器の発停あるいは能力制御を二酸化炭素排出量調整手段により行うことを特徴とする遠隔制御装置。
【請求項６】
水道用二酸化炭素排出量変換手段は、目標排出量入力手段で入力された二酸化炭素排出量を水道量に変換できることを特徴とする、請求項５記載の遠隔制御装置。
【請求項７】
複数の二酸化炭素排出物を入力できる二酸化炭素排出物入力手段と、前記二酸化炭素排出物入力手段で入力された名称に応じて二酸化炭素排出量に変換する二酸化炭素排出量変換手段と、二酸化炭素排出量の目標値を入力する目標排出量入力手段と、前記二酸化炭素排出物の削減項目の優先度を入力する優先度入力手段と、前記二酸化炭素排出量変換手段からの二酸化炭素排出量を基に二酸化炭素排出量の合計を演算する総排出量演算手段を備えた遠隔制御装置であって、前記目標排出量入力手段と前記優先度入力手段と総排出量演算
手段の出力をもとに使用された二酸化炭素排出量の合計が目標排出量となるように、前記優先度入力手段で設定された優先度にしたがって所定時間毎に前記二酸化炭素排出物の削減量を表示および印刷する削減量出力手段をもつことを特徴とする遠隔制御装置。
【請求項８】
目標排出量入力手段は、電力消費機器とガス消費機器と水道消費機器と二酸化炭素排出物の目標二酸化炭素排出量を個別または一括設定できることを特徴とする、請求項１、請求項３、請求項５のいずれかに記載の遠隔制御装置。
【請求項９】
二酸化炭素排出物入力手段は、負の二酸化炭素排出量をもつ二酸化炭素排出物を入力できることを特徴とする、請求項７に記載の遠隔制御装置。
【発明の詳細な説明】
【技術分野】
【０００１】
本発明は機器の遠隔制御装置に関するものである。
【背景技術】
【０００２】
従来、この種の遠隔制御装置では、例えば図５に記載された遠隔制御装置があった。
【０００３】
図５において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空調機１１０を制御する制御信号出力部１０８とを備えた複数の端末機１０３を設け端末機１０３は中央装置１０１と伝送線１０２を介して接続され中央装置１０１は端末機１０３からの電力算出手段１０５のシリアル信号を受け電力を集計し空調機１１０の制御命令を出していた（例えば、特許文献１参照）。
【特許文献１】特開昭６２−２２９５０号公報
【発明の開示】
【発明が解決しようとする課題】
【０００４】
しかしながら、上記従来の構成では、最大需要電力を削減するために遠隔制御装置により電力算出手段１０５からの電力計測値をもとに目標電力になるように空調機１１０を制御していた。このため地球温暖化の原因となる二酸化炭素の排出量を間接的に抑制することはできるが、電力以外の二酸化炭素排出物の抑制ができない他、二酸化炭素排出量を目標値以下に押さえることができないという課題を有していた。
本発明は、前記従来の課題を解決するもので、二酸化炭素排出量を演算し、目標設定された二酸化炭素排出量になるように二酸化炭素排出機器および二酸化炭素排出物の使用量を信号線を介して遠隔地から調整できる遠隔制御装置を提供することを目的とする。
【課題を解決するための手段】
【０００５】
前記従来の課題を解決するために、本発明の遠隔制御装置は、電力入力手段で取り込まれた所定消費電力量を二酸化炭素排出量に変換する電力用二酸化炭素排出量変換手段と、二酸化炭素排出量の目標値を入力する目標排出量入力手段と、電力消費機器の制御優先度を入力する優先度入力手段と、電力用二酸化炭素排出量変換手段からの二酸化炭素排出量を基に二酸化炭素排出量の合計を演算する総排出量演算手段と、電力消費機器の運転時の二酸化炭素排出量の合計が目標排出量となるように優先度入力手段で設定された優先度にしたがって所定時間毎に電力消費機器の発停あるいは能力制御を行う二酸化炭素排出量調整手段を設けたものである。
これによって電力消費機器からの二酸化炭素排出量を入力された二酸化炭素排出量の目標値以下に遠隔地から抑制することができる。
【０００６】
また、本発明の遠隔制御装置は、ガス入力手段で取り込まれた所定消費ガス量を二酸化炭素排出量に変換するガス用二酸化炭素排出量変換手段と、二酸化炭素排出量の目標値を入力する目標排出量入力手段と、ガス消費機器の制御優先度を入力する優先度入力手段と、ガス用二酸化炭素排出量変換手段からの二酸化炭素排出量を基に二酸化炭素排出量の合計を演算する総排出量演算手段と、ガス消費機器の運転時の二酸化炭素排出量の合計が目標排出量となるように優先度入力手段で設定された優先度にしたがって所定時間毎にガス
消費機器の発停あるいは能力制御を行う二酸化炭素排出量調整手段を設けたものである。これによってガス消費機器からの二酸化炭素排出量を入力された二酸化炭素排出量の目標値以下に遠隔地から抑制することができる。
また、本発明の遠隔制御装置は、水量入力手段で取り込まれた所定消費水量を二酸化炭素排出量に変換するガス用二酸化炭素排出量変換手段と、二酸化炭素排出量の目標値を入力する目標排出量入力手段と、水道消費機器の制御優先度を入力する優先度入力手段と、水道用二酸化炭素排出量変換手段からの二酸化炭素排出量を基に二酸化炭素排出量の合計を演算する総排出量演算手段と、水道消費機器の運転時の二酸化炭素排出量の合計が目標排出量となるように優先度入力手段で設定された優先度にしたがって所定時間毎に水道消費機器の発停あるいは能力制御を行う二酸化炭素排出量調整手段を設けたものである。
これによって水道消費機器からの二酸化炭素排出量を入力された二酸化炭素排出量の目標値以下に遠隔地から抑制することができる。
また、本発明の遠隔制御装置は、複数の二酸化炭素排出物を入力できる二酸化炭素排出物入力手段と、二酸化炭素排出物入力手段で入力された名称に応じて二酸化炭素排出量に変換する二酸化炭素排出量変換手段と、二酸化炭素排出量の目標値を入力する目標排出量入力手段と、二酸化炭素排出物の削減項目の優先度を入力する優先度入力手段と、二酸化炭素排出量変換手段からの二酸化炭素排出量を基に二酸化炭素排出量の合計を演算する総排出量演算手段と、目標排出量入力手段と優先度入力手段と総排出量演算手段の出力をもとに使用された二酸化炭素排出量の合計が目標排出量となるように、優先度入力手段で設定された優先度にしたがって所定時間毎に前記二酸化炭素排出物の削減量を表示および印刷する削減量出力手段を設けたものである。
これによって二酸化炭素排出物の二酸化炭素排出量を目標値以下にするための指標を簡単に得ることができる。
【発明の効果】
【０００７】
本発明の遠隔制御装置は、電力使用時、ガス使用時、水道使用時、その他二酸化炭素発生物から排出される二酸化炭素排出量を演算し、二酸化炭素排出目標値を設定することで、
目標値以下に二酸化炭素排出量を遠隔地から自動で抑制することができる。
【発明を実施するための最良の形態】
【０００８】
第１の発明は、複数台の電力消費機器の消費電力量を通信線を介して遠隔地から計測する電力計測手段と、計測された電力量を取り込む電力入力手段と、電力入力手段で取り込まれた所定消費電力量を二酸化炭素排出量に変換する電力用二酸化炭素排出量変換手段と、二酸化炭素排出量の目標値を入力する目標排出量入力手段と、電力消費機器の制御優先度を入力する優先度入力手段と、電力用二酸化炭素排出量変換手段からの二酸化炭素排出量を基に二酸化炭素排出量の合計を演算する総排出量演算手段と、目標排出量入力手段と優先度入力手段と総排出量演算手段の出力をもとに電力消費機器の運転時の二酸化炭素排出量の合計が目標排出量となるように優先度入力手段で設定された優先度にしたがって所定時間毎に電力消費機器の発停あるいは能力制御を行う二酸化炭素排出量調整手段とを備えることにより、電力消費量を二酸化炭素排出量に換算し電力消費機器からの二酸化炭素排出量を入力された二酸化炭素排出量の目標値以下に遠隔地から抑制することができる。
【０００９】
第２の発明は、特に第１の発明の電力用二酸化炭素排出量変換手段において、目標排出量入力手段で入力された二酸化炭素排出量を目標電力量に変換できることにより、電力消費機器からの消費電力量を入力された二酸化炭素排出量の目標値以下に遠隔地から抑制することができる。
【００１０】
第３の発明は、複数台のガス消費機器の消費ガス量を通信線を介して遠隔地から計測するガス計測手段と、計測されたガス量を取り込むガス入力手段と、ガス入力手段で取り込
まれた所定消費ガス量を二酸化炭素排出量に変換するガス用二酸化炭素排出量変換手段と、二酸化炭素排出量の目標値を入力する目標排出量入力手段と、ガス消費機器の制御優先度を入力する優先度入力手段と、ガス用二酸化炭素排出量変換手段からの二酸化炭素排出量を基に二酸化炭素排出量の合計を演算する総排出量演算手段と、目標排出量入力手段と優先度入力手段と総排出量演算手段の出力をもとにガス消費機器の運転時の二酸化炭素排出量の合計が目標排出量となるように優先度入力手段で設定された優先度にしたがって所定時間毎にガス消費機器の発停あるいは能力制御を行う二酸化炭素排出量調整手段とを備えることにより、ガス消費量を二酸化炭素排出量に換算しガス消費機器からの二酸化炭素排出量を入力された二酸化炭素排出量の目標値以下に遠隔地から抑制することができる。
【００１１】
第４の発明は、特に第３の発明のガス用二酸化炭素排出量変換手段において、目標排出量入力手段で入力された二酸化炭素排出量を目標ガス量に変換できることにより、ガス消費機器からの消費ガス量を入力された二酸化炭素排出量の目標値以下に遠隔地から抑制することができる。
【００１２】
第５の発明は、複数台の水道消費機器の消費水道量を通信線を介して遠隔地から計測する水量計測手段と、計測された水道量を取り込む水量入力手段と、水量入力手段で取り込まれた所定消費水道量を二酸化炭素排出量に変換する水道用二酸化炭素排出量変換手段と、二酸化炭素排出量の目標値を入力する目標排出量入力手段と、水道消費機器の制御優先度を入力する優先度入力手段と、水道用二酸化炭素排出量変換手段からの二酸化炭素排出量を基に二酸化炭素排出量の合計を演算する総排出量演算手段と、目標排出量入力手段と優先度入力手段と総排出量演算手段の出力をもとに水道消費機器の運転時の二酸化炭素排出量の合計が目標排出量となるように優先度入力手段で設定された優先度にしたがって所定時間毎にガス消費機器の発停あるいは能力制御を行う二酸化炭素排出量調整手段とを備えることにより、水道消費量を二酸化炭素排出量に換算し水道消費機器からの二酸化炭素排出量を入力された二酸化炭素排出量の目標値以下に遠隔地から抑制することができる。
【００１３】
第６発明は、特に第５の発明の水道用二酸化炭素排出量変換手段において、目標排出量入力手段で入力された二酸化炭素排出量を目標水道量に変換できることにより、水道消費機器からの消費水道量を入力された二酸化炭素排出量の目標値以下に遠隔地から抑制することができる。
【００１４】
第７の発明は、複数の二酸化炭素排出物を入力できる二酸化炭素排出物入力手段と、二酸化炭素排出物入力手段で入力された名称に応じて二酸化炭素排出量に変換する二酸化炭素排出量変換手段と、二酸化炭素排出量の目標値を入力する目標排出量入力手段と、二酸化炭素排出物の削減項目の優先度を入力する優先度入力手段と、二酸化炭素排出量変換手段からの二酸化炭素排出量を基に二酸化炭素排出量の合計を演算する総排出量演算手段と、目標排出量入力手段と優先度入力手段と総排出量演算手段の出力をもとに使用された二酸化炭素排出量の合計が目標排出量となるように、優先度入力手段で設定された優先度にしたがって二酸化炭素排出物の削減量を表示および印刷する削減量出力手段を備えることにより、二酸化炭素排出物の二酸化炭素排出量を目標値以下にするための指標を簡単に得ることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における遠隔制御装置のブロック図を示すものである。図１において、遠隔制御装置１は、電力計測手段４、電力入力手段５、電力用二酸化炭素排出量変換手段６、目標排出量入力手段７、優先度入力手段８、総排出量演算手段９
、二酸化炭素排出量調整手段１０から構成されている。
【００１７】
以上のように構成された遠隔制御装置について、以下その動作、作用を説明する。
まず、電力計測手段４は、複数台の電力消費機器２Ａ、２Ｂ、・・・、２ｎの所定消費電力を通信線３ｂを介して計測する。電力入力手段５は、電力計測手段４で計測された消費電力データを数値化する（例：１０ｋＷｈ,２０ｋＷｈ・・・１０ｋＷｈ）。電力用二酸化炭素排出量変換手段６は、電力入力手段５で数値化された消費電力量を二酸化炭素排出量に変換する（例：１０ｋＷｈ＝１．２ｋｇ−ｃ,２０ｋＷｈ＝２．４ｋｇ−ｃ・・・１０ｋＷｈ＝１．２ｋｇ−ｃ）。目標排出量入力手段７は、二酸化炭素排出量を削減するために利用可能な目標排出量（例：９．６ｋｇ−ｃ）を入力する。総排出量演算手段９は、前記電力消費機器２の運転状態に応じた二酸化炭素排出量合計を演算する（例：１２．０ｋｇ−ｃ）。
【００１８】
優先度入力手段８は、電力消費機器２の優先度を入力する（例：２Ａ＝優先度高、２Ｂ＝優先度低・・・２ｎ＝優先度中）。二酸化炭素排出量調整手段１０は、運転時の二酸化炭素排出量合計（例：１２ｋｇ−ｃ）が目標排出量（例：９．６ｋｇ−ｃ）になるように前記優先度入力手段８で設定された優先度順に通信線３ａを介して複数の前記電力消費機器２へ発停あるいは能力制御信号を送り所定時間毎に順次発停あるいは能力制御を行う。以降この動作を繰り返す。
【００１９】
以上のように構成された遠隔制御装置は、電力用二酸化炭素排出量変換手段６により電力消費機器２の消費電力を二酸化炭素排出量に変換し総排出量演算手段９で合計された二酸化炭素排出量合計が目標排出量入力手段７により入力された目標排出量になるように優先度入力手段８で順位づけられた優先度に応じて複数台の電力消費機器２を所定時間毎に順次発停あるいは能力制御するものである。したがって複数台の電力消費機器２の電力を計測することで二酸化炭素排出量を目標値以下に抑制することができる。
【００２０】
尚、前記電力用二酸化炭素排出量変換手段６は、一酸化炭素排出量変換手段としても良い。また、電力量を二酸化炭素排出量に変換する前記電力用二酸化炭素排出量変換手段６は、電力量を二酸化炭素排出量に相当する擬似数値に変換するポイント算出手段としても良い。
【００２１】
また、前記目標排出量入力手段７、前記優先度入力手段８への入力はパソコンの他、キー入力手段とマウス入力手段とタッチパネル入力手段のいずれかと画面を持つ入力手段を使用しても良い。
【００２２】
（実施の形態２）
図２は、本発明の実施の形態２における遠隔制御装置のブロック図である。同図において、図１と同じ構成要素については同じ符号を用い説明を省略する。
【００２３】
図２において、遠隔制御装置１は、電力計測手段４、電力入力手段５、電力用二酸化炭素排出量変換手段６、目標排出量入力手段７、優先度入力手段８、総電力量演算手段１１、電力量調整手段１２から構成されている。
【００２４】
まず、電力用二酸化炭素排出量変換手段６は、目標排出量入力手段７で入力された目標排出量を消費電力量に変換する（例：１．２ｋｇ−ｃ＝１０ｋＷｈ,２．４ｋｇ−ｃ＝２０ｋＷｈ・・・１．２ｋｇ−ｃ＝１０ｋＷｈ）。
【００２５】
総電力量演算手段１１は、前記電力消費機器２の運転状態に応じた消費電力量合計を演算する（例：１００ｋＷｈ）。電力量調整手段１２は、運転時の電力量合計が目標排出量
入力手段７で入力された目標排出量（例：９．６ｋｇ−ｃ）から変換された消費電力量（８０ｋＷｈ）になるように前記優先度入力手段８で設定された優先度順に通信線３ａを介して複数の前記電力消費機器２へ発停あるいは能力制御信号を送り所定時間毎に順次発停あるいは能力制御を行う。以降この動作を繰り返す。
【００２６】
以上のように構成された遠隔制御装置は、総電力量演算手段１１で演算された電力消費機器２の総電力量が電力用二酸化炭素排出量変換手段６により変換された目標消費電力になるように優先度入力手段８で順位づけられた優先度に応じて複数台の電力消費機器２を所定時間毎に順次発停あるいは能力制御するものである。したがって複数台の電力消費機器２の電力を計測することで二酸化炭素排出量を目標値以下に抑制することができる。
【００２７】
（実施の形態３）
図３は、本発明の実施の形態３における遠隔制御装置のブロック図である。同図において、図１と同じ構成要素については同じ符号を用い説明を省略する。
【００２８】
図３において、遠隔制御装置１は、ガス計測手段１４、ガス入力手段１５、ガス用二酸化炭素排出量変換手段１６、目標排出量入力手段７、優先度入力手段８、総排出量演算手段９、二酸化炭素排出量調整手段１０から構成されている。
【００２９】
以上のように構成された遠隔制御装置について、以下その動作、作用を説明する。
【００３０】
まず、ガス計測手段１４は、複数台のガス消費機器２Ａ、２Ｂ、・・・、２ｎの所定消費ガス量を通信線３ｂを介して計測する。ガス入力手段１５は、ガス計測手段１４で計測された消費ガスデータを数値化する（例：１０ｍ３,２０ｍ３・・・１０ｍ３）。
【００３１】
ガス用二酸化炭素排出量変換手段１６は、ガス入力手段１５で数値化された消費ガス量を二酸化炭素排出量に変換する（例：１０ｍ３＝６．４ｋｇ−ｃ,２０ｍ３＝１２．８ｋｇ−ｃ・・・１０ｍ３＝６．４ｋｇ−ｃ）。
【００３２】
目標排出量入力手段７は、二酸化炭素排出量を削減するために利用可能な目標排出量（例：５１．２ｋｇ−ｃ）を入力する。
【００３３】
総排出量演算手段９は、前記ガス消費機器２の運転状態に応じた二酸化炭素排出量合計を演算する（例：６４ｋｇ−ｃ）。
【００３４】
優先度入力手段８は、ガス消費機器２の優先度を入力する（例：２Ａ＝優先度高、２Ｂ＝優先度低・・・２ｎ＝優先度中）。
【００３５】
二酸化炭素排出量調整手段１０は、運転時の二酸化炭素排出量合計（例：６４ｋｇ−ｃ）が目標排出量（例：５１．２ｋｇ−ｃ）になるように前記優先度入力手段８で設定された優先度順に通信線３ａを介して複数の前記ガス消費機器２へ発停あるいは能力制御信号を送り所定時間毎に順次発停あるいは能力制御を行う。以降この動作を繰り返す。
【００３６】
以上のように構成された遠隔制御装置は、ガス用二酸化炭素排出量変換手段１６によりガス消費機器２の消費ガス量を二酸化炭素排出量に変換し総排出量演算手段９で合計された二酸化炭素排出量合計が目標排出量入力手段７により入力された目標排出量になるように優先度入力手段８で順位づけられた優先度に応じて複数台のガス消費機器２を所定時間毎に順次発停あるいは能力制御するものである。
【００３７】
したがって複数台のガス消費機器２のガス量を計測することで二酸化炭素排出量を目標
値以下に抑制することができる。
【００３８】
（実施の形態４）
図４は、本発明の実施の形態４における遠隔制御装置のブロック図である。同図において、図１および図３と同じ構成要素については同じ符号を用い説明を省略する。
【００３９】
図４において、遠隔制御装置１は、ガス計測手段１４、ガス入力手段１５、ガス用二酸化炭素排出量変換手段１６、目標排出量入力手段７、優先度入力手段８、総ガス量演算手段１３、ガス量調整手段１７から構成されている。
【００４０】
まず、電力用二酸化炭素排出量変換手段１６は、目標排出量入力手段７で入力された目標排出量を消費ガス量に変換する（例：６．４ｋｇ−ｃ＝１０ｍ３,１２．８ｋｇ−ｃ＝２０ｍ３・・・６．４ｋｇ−ｃ＝１０ｍ３）。
【００４１】
総ガス量演算手段１３は、前記ガス消費機器２の運転状態に応じた消費ガス量合計を演算する（例：１００ｍ３）。
【００４２】
ガス量調整手段１７は、運転時のガス量合計が目標排出量入力手段７で入力された目標排出量（例：５１．２ｋｇ−ｃ）から変換された消費ガス量（８０ｍ３）になるように前記優先度入力手段８で設定された優先度順に通信線３ａを介して複数の前記ガス消費機器２へ発停あるいは能力制御信号を送り所定時間毎に順次発停あるいは能力制御を行う。以降この動作を繰り返す。
【００４３】
以上のように構成された遠隔制御装置は、総ガス量演算手段１３で演算されたガス消費機器２の総ガス量がガス用二酸化炭素排出量変換手段１６により変換された目標消費ガス量になるように優先度入力手段８で順位づけられた優先度に応じて複数台のガス消費機器２を所定時間毎に順次発停あるいは能力制御するものである。
【００４４】
したがって複数台のガス消費機器２のガス量を計測することで二酸化炭素排出量を目標値以下に抑制することができる。
【００４５】
（実施の形態５）
図５は、本発明の実施の形態５における遠隔制御装置のブロック図である。同図において、図１と同じ構成要素については同じ符号を用い説明を省略する。
【００４６】
図５において、遠隔制御装置１は、水量計測手段２４、水量入力手段２５、水道用二酸化炭素排出量変換手段２６、目標排出量入力手段７、優先度入力手段８、総排出量演算手段９、二酸化炭素排出量調整手段１０から構成されている。
【００４７】
以上のように構成された遠隔制御装置について、以下その動作、作用を説明する。
まず、水量計測手段２４は、複数台の水道消費機器２Ａ、２Ｂ、・・・、２ｎの所定消費水道量を通信線３ｂを介して計測する。水量入力手段２５は、水量計測手段２４で計測された消費水道データを数値化する（例：１０ｍ３,２０ｍ３・・・１０ｍ３）。
【００４８】
水道用二酸化炭素排出量変換手段２６は、水量入力手段２５で数値化された消費水道量を二酸化炭素排出量に変換する（例：１０ｍ３＝１．６ｋｇ−ｃ,２０ｍ３＝３．２ｋｇ−ｃ・・・１０ｍ３＝１．６ｋｇ−ｃ）。目標排出量入力手段７は、二酸化炭素排出量を削減するために利用可能な目標排出量（例：１２．８ｋｇ−ｃ）を入力する。総排出量演算手段９は、前記水道消費機器２の運転状態に応じた二酸化炭素排出量合計を演算する（例：１６ｋｇ−ｃ）。
【００４９】
優先度入力手段８は、水道消費機器２の優先度を入力する（例：２Ａ＝優先度高、２Ｂ＝優先度低・・・２ｎ＝優先度中）。
【００５０】
二酸化炭素排出量調整手段１０は、運転時の二酸化炭素排出量合計（例：１６ｋｇ−ｃ）が目標排出量（例：１２．８ｋｇ−ｃ）になるように前記優先度入力手段８で設定された優先度順に通信線３ａを介して複数の前記水道消費機器２へ発停あるいは能力制御信号を送り所定時間毎に順次発停あるいは能力制御を行う。以降この動作を繰り返す。
【００５１】
以上のように構成された遠隔制御装置は、水道用二酸化炭素排出量変換手段２６により水道消費機器２の消費水道量を二酸化炭素排出量に変換し総排出量演算手段９で合計された二酸化炭素排出量合計が目標排出量入力手段７により入力された目標排出量になるように優先度入力手段８で順位づけられた優先度に応じて複数台の水道消費機器２を所定時間毎に順次発停あるいは能力制御するものである。
【００５２】
したがって複数台の水道消費機器２の水量を計測することで二酸化炭素排出量を目標値以下に抑制することができる。
【００５３】
（実施の形態６）
図６は、本発明の実施の形態６における遠隔制御装置のブロック図である。同図において、図１および図５と同じ構成要素については同じ符号を用い説明を省略する。
【００５４】
図６において、遠隔制御装置１は、水量計測手段２４、水量入力手段２５、水道用二酸化炭素排出量変換手段２６、目標排出量入力手段７、優先度入力手段８、総水道量演算手段２３、水道量調整手段２７から構成されている。
【００５５】
まず、水道用二酸化炭素排出量変換手段２６は、目標排出量入力手段７で入力された目標排出量を消費水道量に変換する（例：１．６ｋｇ−ｃ＝１０ｍ３,３．２ｋｇ−ｃ＝２０ｍ３・・・１．６ｋｇ−ｃ＝１０ｍ３）。
【００５６】
総水道量演算手段２３は、前記水道消費機器２の運転状態に応じた消費水道量合計を演算する（例：１００ｍ３）。
【００５７】
水道量調整手段２７は、運転時の水道量合計が目標排出量入力手段７で入力された目標排出量（例：１２．８ｋｇ−ｃ）から変換された消費ガス量（８０ｍ３）になるように前記優先度入力手段８で設定された優先度順に通信線３ａを介して複数の前記水道消費機器２へ発停あるいは能力制御信号を送り所定時間毎に順次発停あるいは能力制御を行う。以降この動作を繰り返す。
【００５８】
以上のように構成された遠隔制御装置は、総水道量演算手段２３で演算された水道消費機器２の総水道量が水道用二酸化炭素排出量変換手段２６により変換された目標消費水道量になるように優先度入力手段８で順位づけられた優先度に応じて複数台の水道消費機器２を所定時間毎に順次発停あるいは能力制御するものである。
【００５９】
したがって複数台の水道消費機器２の水量を計測することで二酸化炭素排出量を目標値以下に抑制することができる。
【００６０】
（実施の形態７）
図７は、本発明の実施の形態７における遠隔制御装置のブロック図である。同図において、図１及と同じ構成要素については同じ符号を用い説明を省略する。
【００６１】
図７において、遠隔制御装置１は、二酸化炭素排出物入力手段３５、用二酸化炭素排出量変換手段３６、目標排出量入力手段７、優先度入力手段８、総排出量演算手段９、削減量出力手段３７から構成されている。
【００６２】
以上のように構成された遠隔制御装置について、以下その動作、作用を説明する。
【００６３】
まず、二酸化炭素排出物入力手段３５は、二酸化炭素を排出する名称および使用量を入力できる。
【００６４】
二酸化炭素排出量変換手段３６は、二酸化炭素排出物入力手段３５で入力された名称および使用量に応じて予め設定された二酸化炭素排出量を数値化する（例：ガソリン１０Ｌ＝６．４ｋｇ−ｃ、灯油１０Ｌ＝６．９ｋｇ−ｃ）。
【００６５】
目標排出量入力手段７は、二酸化炭素排出量を削減するために利用可能な目標排出量（例：９．６ｋｇ−ｃ）を入力する。
【００６６】
総排出量演算手段９は、前記二酸化炭素排出物の排出量合計を演算する（例：１６．５．０ｋｇ−ｃ）。
【００６７】
優先度入力手段８は、電力消費機器２の優先度を入力する（例：ガソリン＝優先度高、灯油＝優先度低）。
【００６８】
二酸化炭素排出量調整手段１０は、使用された二酸化炭素排出量合計（例：１６．５ｋｇ−ｃ）が目標排出量（例：９．６ｋｇ−ｃ）になるように前記優先度入力手段８で設定された優先度順に前記二酸化炭素排出物の削減量を表示および印刷する。以降この動作を繰り返す。
【００６９】
以上のように構成された遠隔制御装置は、二酸化炭素排出量変換手段３６により二酸化炭素排出物の名称および使用量から二酸化炭素排出量に変換し総排出量演算手段９で合計された二酸化炭素排出量合計が目標排出量入力手段７により入力された目標排出量になるように優先度入力手段８で順位づけられた優先度に応じて前記二酸化炭素排出物の削減量を表示および印刷する。したがって二酸化炭素排出物を入力することで二酸化炭素排出量を目標値以下に抑制する指標を簡単に得ることができる。
【００７０】
尚、前記二酸化炭素排出物入力手段３５、前記目標排出量入力手段７、前記優先度入力手段８への入力はパソコンの他、キー入力手段とマウス入力手段とタッチパネル入力手段のいずれかと画面を持つ入力手段を使用しても良い。
【産業上の利用可能性】
【００７１】
以上のように、本発明の遠隔制御装置は、二酸化炭素排出量を目標値以下にするために目標排出量を設定することで具体的に電力、ガス、水道の他、二酸化炭素排出物の名称および数量を入力し対象の電力使用機器、ガス使用機器、水道使用機器、二酸化炭素排出物を自動および手動で削減できるため、国、都道府県、市町村、自治会、企業で決められた二酸化炭素排出量の規制に迅速に対応できる。
【図面の簡単な説明】
【００７２】
【図１】本発明の実施の形態１における遠隔制御装置のブロック図
【図２】本発明の実施の形態２における遠隔制御装置のブロック図
【図３】本発明の実施の形態３における遠隔制御装置のブロック図
【図４】本発明の実施の形態４における遠隔制御装置のブロック図
【図５】本発明の実施の形態５における遠隔制御装置のブロック図
【図６】本発明の実施の形態６における遠隔制御装置のブロック図
【図７】本発明の実施の形態７における遠隔制御装置のブロック図
【図８】従来の遠隔制御装置のブロック図
【符号の説明】
【００７３】
１  遠隔制御装置
２  電力消費機器
３  通信線
４  電力計測手段
５  電力入力手段
６  電力用二酸化炭素排出量変換手段
７  目標排出量入力手段
８  優先度入力手段
９  総排出量演算手段
１０  二酸化炭素排出量調整手段
１１  総電力量演算手段
１２  電力量調整手段
１３  総ガス量演算手段
１４  ガス計測手段
１５  ガス入力手段
１６  ガス用二酸化炭素排出量変換手段
１７  ガス量調整手段
２３  総水道量演算手段
２４  水量計測手段
２５  水量入力手段
２６  水道用二酸化炭素排出量変換手段
２７  水道量調整手段
３５  二酸化炭素排出物入力手段
３６  二酸化炭素排出量変換手段
３７  削減量出力手段
【図１】
2005180755.tif 000003
【図２】
2005180755.tif 000004
【図３】
2005180755.tif 000005
【図４】
2005180755.tif 000006
【図５】
2005180755.tif 000007
【図６】
2005180755.tif 000008
【図７】
2005180755.tif 000009
【図８】
2005180755.tif 000010